Podtech/llm-jp-corpus-v4-ja_patent huggingface dataset:
(57)【要約】［課題］アウトドアで、全身でバランスをとりながら、斜面を滑る、安定した、安価で、安全な、スホーツ性のある、健康的な遊具を提供する。［解決手段］ソリ本体（１）に固定された、回転軸ボールト（２）の左右両端に、制動用レバー（３）を取付けることを特徴とする。【選択図】図１
2004322994.tif 000002
【特許請求の範囲】
【請求項１】
左右に制動レバーを付けたソリ
【発明の詳細な説明】
【０００１】
［発明の属する技術分野］
この発明は、ソリの左右に制動用のレバーを付けた、遊具装置に関するものである。
【０００２】
［従来の技術］
従来、滑るだけのものであった。
【０００３】
［発明が解決しようとする課題］
これは次のような欠点があった。
（イ）障害物をさけることが、できにくかった。
（ロ）曲る事が困難だった。
（ハ）止るために足を接地させるために危険であった。
【０００４】
［課題を解決するための手段］
ソリ本体（１）に付けられた回転軸（２）の左右両端に制動用レバー（３）を取り付ける。
本発明は、以上の様な構成からなる、安価で、安全な、遊びの範囲を広げる遊具である。
【０００５】
［発明の実施の形態］
ソリ本体（１）に、固定された軸ボールト（２）の左右に、制動用回転レバー（３）を取付、（１）に過回転止突起を取付ける。左右のレバー（３）を、別々に接地する事により、進路変更が可能になり、左右同時に接地する事に依り制止が可能になる。
【０００６】
［実施例］
以下、本発明の実施例について説明する。
（イ）ソリ本体（１）に、レバー（３）取付用軸ボールト（２）を取付ける。
（ロ）軸ボールト（２）の左右に、制動用回転レバー（３）を取付る。
（ハ）制動用回転レバー（３）が過回転しない様、回転止突起（４）を、本体（１）に取付ける。
本発明は、以上のような構造で、これを使用するときは、左右制動レバー（３）を、しっかり握って、斜面を、左右レバーを操作しながら自由に、コース取をして、速さの調整をしながら、安全に楽しく滑走できる。
【０００７】
［発明の効果］
アウトドアーでの軽便な、遊具として、雪、芝、土、砂、凍結斜面等を、安価で安全に、巾広い世代が遊べる遊具となる。
【図面の簡単な説明】
【図１】本発明の側面図
【図２】本発明の平面図
【図３】本発明の横断面図
【符号の説明】
１ソリ本体
２回転軸ボールト（芯棒）
３制動用レバー
４過回転止突起
【図１】
2004322994.tif 000003
【図２】
2004322994.tif 000004
【図３】
2004322994.tif 000005
(57)【要約】【課題】人力にて手提げ袋入り荷物を運搬するに際し、懸垂状態のまま片手にて運搬可能ならしめる器具を提供するものである。【解決手段】一本の支柱棒２の上端に取っ手１、その下に荷物掛けフック３、最下端に２個の車輪４を取り付け、支持棒中間には伸縮継ぎ手５を設ける。【選択図】    図１
2004322989.tif 000002
【特許請求の範囲】
【請求項１】
一本の支柱棒の上端に取っ手、その下に荷物掛けフック、最下端に２個の縦列車輪を配置したステッキ状の簡易な構造にて、複数個の手提げ袋入り荷物を懸垂状態のまま片手にて運搬可能ならしめる器具。
【発明の詳細な説明】
【０００１】
【発明の属する技術分野】
本発明は人力による荷物運搬器具に関するものである。
【０００２】
【従来の技術】
日常生活において買い物などの手荷物を人力の範囲内で運搬する為の器具としては（イ）４輪の台車（スーパーマーケット店内の買物台車など）及び（ロ）２輪のキャリヤー（旅行鞄固縛運搬用など）、及び（ハ）４輪かご型キャリヤー（買い物用など）があるが、（イ）４輪台車は形状が大きく店内等の特定の場所でしか使用できず、また（ロ）２輪キャリヤーにおいては形状が固定した箱型の荷物を乗せるものであり、形状不安定で懸垂状態を維持すべき手提げ袋入り荷物を運搬するには適さない。また（ハ）４輪かご型キャリヤーはかごの容積、形状が限定的であると共にキャリヤー自身の持ち運びに手軽さがない。また（イ）４輪台車、（ハ）４輪かご型キャリヤーは平面上の移動は容易であるが階段においては使用が困難となる。手提げ袋入り荷物運搬器具としては古来より天秤棒があるが、これは荷物の全荷重が人体にかかり、運搬の労力を減じる効果が薄いと共に運搬人の前後にスペースを要し狭い場所での使用が困難である。
【０００３】
【発明が解決しようとする課題】
手提げ袋入り荷物を懸垂状態で人力のみで、かつ狭い場所を通過しつつ運搬するには手に吊り下げて運ぶのが一般的であり、一度に運べる袋数、重量は自ずと限られたものとなる。また日常生活で使用するには器具自身を軽量、小型にし手軽に持ち運べ、かつ収納が容易なのもにする必要がある。
【０００４】
本発明はステッキ状の簡易な構造の軽量、小型な器具にて、日常の住環境において一人の人間が運べる買い物等の手提げ荷物の量を大幅に増やすものである。
また片手にて使用するものであり、ドアの開閉等において空いている他方の手を自由に使え運搬作業における利便性を高める事が出来る。
【０００５】
【課題を解決するための手段】
手提げ袋入り荷物の荷重を一本の棒で支え、水平移動を容易ならしめる為２個の車輪を取り付ける。荷物荷重を一本の棒で支えるため、転倒し易いがこれを防ぐべく車輪を２個移動方向に縦列（前後方向で２点支持）に配置する。横方向へは一点支持となるので転倒作用が生じるが、移動方向では無いため取っ手に若干の力を加えることにより容易に垂直自立を維持できる。器具の持ち運び、及び収納を容易ならしめるため小型、軽量を追求したシンプルな構造であるが、荷物運搬時の水平移動における力学的合理性を追求した取っ手形状、車輪配置、及び荷物掛フック位置となっている。
【０００６】
【発明の実施の形態】
本発明の器具は取っ手１、支柱棒＜伸縮式＞２、荷物掛けフック３、車輪＜２個＞４、支持棒伸縮継ぎ手５より構成されるが、全て一つの平面上（以下、移動面と呼ぶ）に配置され、僅かな隙間での収納が可能な形状となっている。本器具は運搬人が軽く腕を伸ばした姿勢で取っ手を握り、体の側面に配して使用する。
【０００７】
２個の車輪は支柱棒下端に支持棒中心線に対称に配置され、支持棒に掛かる荷物荷重は２点にて支持され移動平面内では器具の転倒を防ぎ、一方移動面に垂直な方向（以下、横断面と呼ぶ）では１点支持となる為、転倒し易いが取っ手を僅かな力で支持する事により転倒を防ぎ垂直自立を保つ形状になっている。
【０００８】
取っ手は支柱棒中心線より進行方向側に偏心させた位置に下方傾斜させて配置し、運搬移動に際しては運搬人が取っ手を移動面に沿って僅かな力で進行方向斜め前方に持ち上げる事により、その水平分力が推進力となり支持棒を垂直自立させたまま水平方向に移動せしめる構造となっている。また同時に取っ手に加えられた力の垂直分力は横断面上における転倒モーメントを打ち消す方向に働くことになる。
【０００９】
運搬移動中の同器具の自立バランスを保つには運搬人の身長に見合った取っ手位置となる事が重要で有り支柱棒は伸縮可能な構造とする。
【００１０】
【発明の効果】
本発明は日常の買い物の自宅への搬入運搬など比較的短距離での荷物運搬における大幅な労力軽減を狙ったものである。本器具は階段にては全体を床面より持ち上げて使う事となるが、それ以外の平面床面では荷重の大半を同器具に委ねることが出来、特に運搬途中の静止時（エレベーター内、エスカレーター上、ドア開閉時など）には殆ど力を入れることなく片手で荷物を保持出来る点は極めて利便性が高い。
【図面の簡単な説明】
【図１】本発明の移動面上の立面図である。
【図２】本発明の横断面上の立面図である。
【図３】移動面上の力の釣り合い、及び運搬人の使用状態を示す図である。
【図４】横断面上で支持棒が垂直自立位置へ戻る時の力の釣り合い、及び運搬人の使用状態を示す図である。
【符号の説明】
１  取っ手
２  支持棒
３  荷物掛けフック
４  車輪
５  支持棒伸縮継ぎ手
６  運搬人力の水平分力
７  横断面上の支持棒垂直位置への復元力
８  手提げ袋入り荷物
【図１】
2004322989.tif 000003
【図２】
2004322989.tif 000004
【図３】
2004322989.tif 000005
【図４】
2004322989.tif 000006
(57)【要約】【課題】ホワイトボードなどの垂直面の上端近傍や下端近傍においても安定的に筆記可能な筆記具を提供する。【解決手段】軸筒１の先端にペン体２が取り付けられた筆記具において、軸筒１の少なくとも後方部の外周面に軟質材料などからなるグリップ５を取り付け、ホワイトボードなどの垂直面の上端近傍や下端近傍に筆記する際に指先を軸筒にフィットさせる。また、軸筒１の先端にペン体２が取り付けられた筆記具において、軸筒の少なくとも後端面に軟質材料などからなるグリップ５を取り付ける。【選択図】  図２
2004322381.tif 000002
【特許請求の範囲】
【請求項１】
軸筒の先端にペン体が取り付けられた筆記具において、該軸筒の少なくとも後方部外周面に軟質材料などからなるグリップが取り付けられたことを特徴とする筆記具。
【請求項２】
軸筒の先端にペン体が取り付けられた筆記具において、該軸筒の少なくとも後端面に軟質材料などからなるグリップが取り付けられたことを特徴とする筆記具。
【発明の詳細な説明】
【０００１】
【発明の属する技術分野】
本発明は、筆記具に関し、更には、ホワイトボードなどの垂直面に筆記することに適した筆記具に関する。
【０００２】
【従来の技術】
小人数の講習会や会議などにおいて、ホワイトボードに説明事項などを記載することが多いが、ホワイトボード用の筆記具は、ホワイトボードに記載された筆跡をスポンジなどからなる消去用具で消去可能なインキがプラスチックで成形された軸筒内に内蔵されるとともに、軸筒の先端にフェルトやプラスチックからなる棒状のペン体が取り付けられているのが一般的である。
【０００３】
【発明が解決しようとする課題】
前記筆記具を用いてホワイトボードなどの垂直面に筆記するとき、軸筒の前方を親指、中指および人差し指で把持して筆記するが、筆記位置が目の高さに近い場合は、水平面に筆記する通常の筆記操作とほぼ同様に安定的に筆記することができる。しかし、ホワイトボードの上端近傍や下端近傍に筆記するときは、筆記位置が遠くなるので、個人差はあるものの、軸筒の後端部を摘むように把持して筆記することが多い。この場合、腕の角度と筆記具の角度が近くなって通常の筆記操作とは異なる把持角度となり、かつ筆記具の重心から離れた後端部を把持するので、安定的に保持するのが困難になる。
また、筆記具の重心から離れた後端部を把持するので、軸筒の尾端面を掌に当て、筆記具が下向きに傾くのを防止しながら筆記することがあるが、プラスチックで成形された軸筒の尾端面は滑りやすくて掌にフィットしにくく、十分な効果を得ることができない不具合がある。
【０００４】
そこで本発明は、ホワイトボードなどの垂直面の上端近傍や下端近傍においても安定的に筆記可能な筆記具を提供することを目的とする。
【０００５】
【課題を解決するための手段】
かかる目的を達成するために、請求項１の発明は、軸筒の先端にペン体が取り付けられた筆記具において、軸筒の少なくとも後方部外周面に軟質材料などからなるグリップを取り付ける。また、請求項２の発明は、軸筒の先端にペン体が取り付けられた筆記具において、軸筒の少なくとも後端面に軟質材料などからなるグリップを取り付ける。
【０００６】
【発明の実施の形態】
以下に、図面に基づいて本発明の実施の形態を具体的に説明する。図１において、プラスチックで成形された軸筒１の先端開口にペン体２が取り付けられており、軸筒１の後端開口には尾栓４が嵌着されている。ペン体２は内部に連続気泡を有するプラスチックの棒状体である。軸筒２内にはインキ吸蔵体３が収容されている。インキ吸蔵体３は倦縮した極細繊維を引き揃えて棒状に成形したものであり、インキ吸蔵体３内にはホワイトボードなどに記載された筆跡を消去用具で消去可能な水性インキが吸蔵されている。そして、ペン体２の後端がインキ吸蔵体３に差し込まれており、インキ吸蔵体３内のインキがペン体２に供給されて筆記に供される。非使用時には、キャップ６が軸筒１の先端に嵌着され、ペン体２からインキが蒸発するのを防止する。
【０００７】
軸筒１の後方部の外周面および尾端面には、図１および図２に示すように、例えばシリコンゴムのような軟質材料からなるグリッパー５が取り付けられている。グリッパー５は軟質材料からなるものに限られるものではなく、指先で把持したときに指先にフィットして滑りにくくなるものであればよい。グリッパー５は軸筒１の後方部のみでなく前方部も覆うものであってもよいが、少なくとも軸筒１の後方部の外周面にはグリッパー５が取り付けられている。
次に、図３は指先で把持する部分にはグリッパー５は設けず、少なくとも軸筒１の尾端面をグリッパー５で覆った例を示す。
【０００８】
しかして、図１および図２に示す筆記具を用いてホワイトボードに筆記するとき、筆記位置が目の高さに近い場合は、軸筒１の前方部のグリッパー５がない部分を親指、中指および人差し指で把持して筆記するが、筆記具と手の角度が水平面に筆記する通常の筆記操作とほぼ同様になるので、安定的に筆記することができる。次に、ホワイトボードの上端近傍や下端近傍に筆記するときは、筆記位置が遠くなるので、軸筒１の後端部のグリッパー５で覆われた部分を摘むように把持して筆記するが、指先がグリッパー５にフィットして安定的に筆記することができる。
【０００９】
次に、図３に示す筆記具でホワイトボードの上端近傍や下端近傍に筆記するときは、軸筒１の後端部を摘むように把持するが、同時にグリッパー５で覆われた軸筒１の尾端面を掌に当てると、軸筒１の尾端面が掌にフィットし、筆記具の重心から離れた位置を把持しているにもかかわらず、筆記具が下向きに傾くのを防止でき、安定的に筆記することができる。
【００１０】
【発明の効果】
以上説明したように、本発明は、軸筒の先端にペン体が取り付けられた筆記具において、軸筒の少なくとも後方部外周面に軟質材料などからなるグリップを取り付け、また、軸筒の先端にペン体が取り付けられた筆記具において、軸筒の少なくとも後端面に軟質材料などからなるグリップを取り付けるので、ホワイトボードなどの垂直面の上端近傍や下端近傍においても安定的に筆記可能な筆記具をとすることができる。
【図面の簡単な説明】
【図１】本発明実施例の断面図である。
【図２】本発明実施例の平面図である。
【図３】他の実施例の平面図である。
【符号の説明】
１    軸筒
２    ペン体
３    インキ吸蔵体
４    尾栓
５    グリッパー
６    キャップ
【図１】
2004322381.tif 000003
【図２】
2004322381.tif 000004
【図３】
2004322381.tif 000005
(57)【要約】      （修正有）【課題】安定した状態で刃物を研ぐことができる砥石台を提供する。【解決手段】砥石台に砥石嵌めこみの際の巾調整ネジを設ける。また、砥石台の底には下部に吸盤を有する上下調整ネジを設ける。【選択図】    なし【特許請求の範囲】
【請求項１】
砥石台の高さを上下調整出来砥石の大きさ合わせて調整出来る砥石台
【請求項２】
滑りやすい接地面でも吸盤を付けることが出来る砥石台
【発明の詳細な説明】
【０００１】
〔発明の属する技術分野〕
本発明は、砥石を砥石台に乗せて刃物を研ぐ砥石台である。
本発明は、砥石の台を前提にしている。
【０００２】
〔従来の技術〕
従来、砥石は、地面など安定感の悪い状態で刃物を研いでいたため、刃物を研ぐのが困難であった。
【０００３】
〔発明の実施の形態〕
本発明は、安定感の悪い、地面、滑りやすい接地面でも刃物を研ぐことが出来、かつ、砥石の大きさに合せて調整し、砥石を砥石台に嵌め込むことが出来るコンパクトにした砥石台。それを図面について説明すれば、砥石１を砥石台２を嵌め込められるように巾調整ネジ４、調整して砥石１を嵌め込み、研ぎ易いように上下調整ネジ３で調整し、砥石台２の底に吸盤５取り外し出来るようにした。
【０００４】
〔発明の効果〕
このようにすれば、安定感の悪い地面、滑りやすい接地面でも簡単に、刃物を研ぐことが出来るから便利である。
【図面の簡単な説明】
【図１】砥石と砥石台の断面図である。
【図２】砥石台の平面図である。
【図３】砥石台の立面図である。
【符号の説明】
１  砥石
２  砥石台
３  上下調整ボルト
４  巾調整ネジ
５  吸盤
2004322301.tif 000002
2004322301.tif 000003
【手続補正書】
【提出日】平成15年6月20日(2003.6.20)
【手続補正１】
【補正対象書類名】図面
【補正対象項目名】全図
【補正方法】変更
【補正の内容】
【図１】
2004322301.tif 000004
【図２】
2004322301.tif 000005
【図３】
2004322301.tif 000006
【図４】
2004322301.tif 000007
【手続補正２】
【補正対象書類名】明細書
【補正対象項目名】図面の簡単な説明
【補正方法】変更
【補正の内容】
【図面の簡単な説明】
【図１】砥石と砥石台の断面図である。
【図２】砥石台の平面図である。
【図３】砥石台の立面図である。
【図４】砥石台の右側面図である。
【符号の説明】
１‥‥‥砥石
２‥‥‥砥石台
３‥‥‥上下調整ボルト
４‥‥‥巾調整ネジ
５‥‥‥吸盤
(57)【要約】      （修正有）【課題】平らな面に垂直な穴を、確実に開ける事ができる円盤付のドリルを提供する。【解決手段】ドリル本体に円盤部１を付ける。ドリル２をハンドピース７に入れ、電源をいれ、回転しているドリル２を、平らな面に合わせて円盤部を圧接するようにする事により、円盤部１の平面部が平らな面に重なり、より早く確実に平らな面に対して垂直に開ける事ができる。【選択図】      図１
2004322303.tif 000002
【特許請求の範囲】
【請求項１】
ドリルの根元を、円盤型にすることでドリルがあける穴を、垂直にする円盤付ドリル。
【発明の詳細な説明】
【０００１】
【発明の属する技術分野】
この発明は、ドリルで垂直に穴を開けるとき円盤が、穴を開ける対象物に固定されることにより対象物に、直角に穴が開くドリルである。
【０００２】
【従来の技術】
従来は、（１）の部分がないか（１）の形状の円盤がついてなかったので、確実に垂直に穴を開けることができなかった。
【０００３】
【発明が解決しようとする課題】
従来の製品は、対象物が平らな面であっても確実に穴を開けることができなかった。
〈１〉の形にすることで、短時間で確実に平面に対して垂直に穴をあけられる。
【０００４】
【課題を解決するための手段】
ドリルの根元を、円盤型にすることでドリルがあける穴を、垂直にする円盤付ドリル。
【０００５】
【発明の実施の形態】
（イ）ドリル（２）をハンドピース（７）に入れ、ハンドピース（７）の電源を入れると、ドリル（２）自体が回転する。
（ロ）回転しているドリル（２）を、模型の平面（５）にあわせて円盤部（１）を平らにしている面に対して圧接するように穴を開ける、すると円盤部（１）の平面部と（５）の平面が重なり合いドリルで開けた穴（６）部分の穴が平面に対して垂直に穴が開く。
（ハ）その穴に、ダウェルピン（４）を植立するとドリルで開けた穴（６）に垂直に穴が開いているので、簡単に水平に、ダウェルピン（４）が植立できる。
【０００６】
【発明の効果】
このように、簡単に対象物が平らであれば、垂直に穴をあけられる。
【図面の簡単な説明】
【図１】本発明の正面図である
【図２】本発明の上から見た図である
【図３】歯科技工物を造るときの、ダウェルピンを植立したずである。
【図４】模型を平らに削って穴を開けた図である。
【符号の説明】
１円盤部    ２ドリル    ３軸    ４ダウェルピン    ５模型の平面
６ドリルで開けた穴    ７ハンドピース
【図１】
2004322303.tif 000003
【図２】
2004322303.tif 000004
【図３】
2004322303.tif 000005
【図４】
2004322303.tif 000006
(57)【要約】      （修正有）【課題】流水管出口先端に弾力性フィルターを設けることで、流水の圧力を一定にし、該流水が下部平面衝突受け皿、物に流水することで、各種形状、球形体、曲面膜を形成する球面状水膜形成装置を提供する。【解決手段】流水管出口先端に弾力性フィルターを設け、流水を放出され、流水の真下に平面衝突受け皿、物を設けた。。【選択図】図１
2004322072.tif 000002
【特許請求の範囲】
【請求項１】
球面状水膜形成装置は流水管出口先端に弾力性フィルターを設け、流水を放出され、流水を真下に平面衝突受け皿、物を設けたことを特徴とする球面状水膜形成装置。
【発明の詳細な説明】
【０００１】
【発明の属する技術分野】
本発明は各種展示会、庭園、屋内ロビー等の安らぎ、くつろぎなどに利用される噴水の造形物に関するものである。
【０００２】
【従来の技術】
従来、噴水形状装置用ノズル方法で、ノズルと給水圧を調節操作によって噴水の形状を多彩に変化させることの出来る技術の物が多く、水流を上に上げることで得られる利点が多い。
【０００３】
【発明が解決しようとする課題】
しかしながら、噴水を上に上げるだけの安らぎ、くつろぎ、鑑賞だけでは物足りないので、色々な形状を多彩に変化させることを提供することを課題とした。
【０００４】
【課題を解決するための手段】
本発明は上記目的を達成するために、流水管出口先端に弾力性フィルターを設けることで、流水の圧力を一定にすることで、流水が下部平面衝突受け皿、物に流水することで球面状水膜形成装置構成となり、各種形状、球形体、曲面膜を形成することが出来ることを解決手段とし、提供することにある。
【０００５】
【実施例】
本発明の球面状水膜形成は流水管出口先端に弾力性フィルターを設ける。弾力性フィルターは流水の圧力を変化させることで、水膜の分割防止出来る。弾力性フィルターを流水された水は平面衝突受け皿、物に流水することで、球面状水膜形成装置となり、各種形状、球面体、曲面膜を形成することが出来る。
【０００６】
球面状水膜形成を造ることで、球面状水膜形成の中に空洞にすることで色々なキャラクター等を内蔵することで色々な楽しみ方が求められる。又、平面衝突受け皿、物の変化によっては多彩な球面、球形水膜が得られる。
【０００７】
【発明の効果】
本発明は流水管出口先端に弾力性フィルターを設けられることで、流水の圧力を一定に下げ、水膜の分割防止と流水平面衝突受け皿、物の変化によっては色々に多彩に変化させることで安らぎ、くつろぎ、鑑賞が出来る効果がある。
【図面の簡単な説明】
【図１】本発明に係る球面状水膜形成の概観図である。
【符号の説明】
１        流水管
２        弾力性フィルター
３        流水
４        平面衝突皿、物
５        球面状水膜
６        流水受皿
７        キャラクター
【図１】
2004322072.tif 000003
(57)【要約】【課題】  本発明は静電気を利用した濾過式集塵装置において濾過フィルターによる濾過後の清浄空間側にコロナ始発レベル以上の電界を形成し生成イオン風による濾過フィルターへの押しこみ効果及び清浄空間側からの安定した電荷供給により低濾過圧損、高い濾過速度による集塵を可能とした装置に関するものである。【解決手段】  濾過フィルター1の清浄空間側6に放電極2を配置し、これに高電圧を印加してフィルター材との間に電界並びにイオン風3を構成する。含塵気流5は反対側の粉体捕集面4で脱塵された後清浄空間側6に導かれる。【選択図】  図1
2004322083.tif 000002
【特許請求の範囲】
【請求項１】
濾過フィルターによる濾過後の清浄空間側にコロナ始発レベル以上の電界強度を持つ静電界を形成してイオン風を生成せしめる直流高電圧荷電部を配置する事を特徴とする静電気を利用した濾過式集塵装置。
【発明の詳細な説明】
【技術分野】
【０００１】
本発明は静電気を利用した濾過式集塵装置の改良に関するものである。
【背景技術】
【０００２】
濾過式集塵装置は基本的に濾過フィルター部において粉体の機械的分離を行う
ものであるのでフィルター材料の空隙率や空隙寸法に限界があり濾過速度を大
きくすると急激な圧力損失の上昇や捕集粉体の吹き漏れが発生する。この現象を
緩和する為、予め粉体を荷電しておき帯電粉体の電荷放出速度のズレによるフィ
ルター材表面での捕集粉体偏積効果を利用したもの（例えば、特許文献1参照）
や帯電粉体のクーロン力を利用したもの（例えば、特許文献2参照）等が考案さ
れている。又、物理的配置のみに着目した場合、本発明と同様に清浄空間側に電
極を配置した例もある（例えば、特許文献３）。
【特許文献１】特開昭52−093271号  公報  （公報第1図参照）
【特許文献２】特開平05−138069号  公報  （公報第2図参照）
【特許文献３】実開平2−133439号  公報  （公報第1図参照）
【発明の開示】
【発明が解決しようとする課題】
【０００３】
しかしながら、従来の静電気を利用した濾過式集塵装置は対象粉体に直接電荷を与える事により集塵性能の向上を計るものであり、特許文献1の例では電気抵抗率等による粉体の電荷保持能力により効果が左右される事や濾過速度を大きくすると濾過圧により静電効果が削減されてしまうと云った欠点があり、又、特許文献2の例では捕集部をフィルターと金属燒結体の2段とする複雑な構造や粉体が導入される金属燒結体自体を高圧側電極にも使用する為の汚損による性能低下が心配されると云った欠点があった。
尚、特許文献３は濾過後の清浄空間でのイオン生成の為に放電極と対抗電極を構
成するものであり集塵装置としての性能向上を計る機能を有するものでは無い。  
【課題を解決するための手段】
【０００４】
本発明はかかる問題点を解決せんとしてなされたもので、濾過フィルターによる
濾過後の清浄空間側に、コロナ始発レベル以上の電界強度を持つ静電界を形成す
る直流高電圧荷電部を配置して、フィルターに向かうイオン風を生成せしめる事
により、含塵気流を濾過面側に押さえ込み脱塵を行う静電気を利用した濾過式集
塵装置を構成する。
尚、イオン風及び静電界による捕集効果は４０メッシュ程度の濾過フィルターを
用いることで現れるが、効果を顕著とする為には６０メッシュ（空隙0.28ｍｍ）
以上の空隙の細かい導電性材料による網を濾過フィルターとして使用すること
が好ましい。
【発明の効果】
【０００５】
本発明により次の効果が実現出来る。
粉体押えこみ効果により空隙の大きい濾過フィルターであっても有効な集塵が実現出来る。
空隙の大きい濾過フィルターを適用出来るので濾過圧損を低く押える事が出来る。
濾過後の清浄空間側からの電界形成であるので濾過圧による静電効果の低減が無く濾過速度を大きく取る事が出来る。
（ニ）フィルター材濾過面の汚損に拘わらない清浄面側からフィルター材への
安定した電荷の供給により静電捕集能力を維持出来る。
上記の各効果により低濾過圧損、高濾過速度での使用が可能な静電気を利用した濾過式集塵装置を実現出来る。
【発明を実施するための最良の形態】
【０００６】
次に本発明の実施の形態を実施例となる図面を参照して説明する。
図１は本発明の装置を示す側面図で、図２はその平面図である。
濾過フィルター1に60メッシュ（空隙0.28ｍｍ）以上の導電性材料による網を用い、コロナ始発レベル以上の電界強度を得る事が出来る放電極2並びに直流高電圧荷電装置8を配置する、例えば放電極2を電気集塵装置などにおいて汎用的に用いられる4ｍｍ角鋼により構成した場合概ね2Kv/cm以上の電界強度を得る事が出来る直流高電圧荷電装置8とする。
尚、直流高電圧荷電装置の極性は正負どちらでも良く、例えばオゾン生成を避けたい場合は正極性とする等使用目的により選択する。
【実施例】
【０００７】
図3に濾過フィルターとして60メッシュ（空隙0.28mm）ステンレス製金網を円筒状に構成し、中心に4mm角鋼の放電極を配置、濾過速度1.5m/minで正極性直流高電圧荷電を行った場合の電界強度と濾過圧損の関係測定例を示す。
全体に低い濾過圧損の元で電界強度2Kv/cm付近から顕著な差圧上昇が起こって有効な集塵が行われている事が認められる。
【図面の簡単な説明】
【０００８】
【図１】は本発明の側面図
【図２】は本発明の平面図
【図３】は本発明による濾過フィルター圧損測定例
【符号の説明】
【０００９】
1は濾過フィルター
2は放電極
3は放電極と濾過フィルター間に形成される電界並びにイオン風
4は粉体捕集面
5は含塵気流流路
6は清浄側空間
7は碍子
8は高電圧荷電装置
【図１】
2004322083.tif 000003
【図２】
2004322083.tif 000004
【図３】
2004322083.tif 000005
【手続補正書】
【提出日】平成16年8月26日(2004.8.26)
【手続補正１】
【補正対象書類名】明細書
【補正対象項目名】０００５
【補正方法】変更
【補正の内容】
【０００５】
本発明により次の効果が実現出来る。
粉体押え込み効果により空隙の大きい濾過フィルターであっても有効な集塵が
実現出来る。
空隙の大きい濾過フィルターを適用出来るので濾過圧損を低く押える事が出来
る。
濾過後の清浄空間側からの電界形成であるので濾過圧による静電効果の低減が
無く濾過速度を大きく取る事が出来る。
フィルター材濾過面の汚損に拘わらない清浄面側からフィルター材への安定し
た電化の供給により静電捕集能力を維持出来る。
上記の各効果により低濾過圧損、高濾過速度での使用が可能な静電気を利用した濾
過式集塵装置を実現出来る。
(57)【要約】【課題】穏和な条件下（常温・常圧）において、モノクロロ、ジクロロ、トリクロロ、テトラクロロエチレンを主とする有機塩素化合物を脱塩素化して無害化する。【解決手段】ラネーニッケル又はパラジウム又は白金を接触還元用触媒として水素の存在下において塩素を脱離し無害化する。【特許請求の範囲】
【請求項１】
土壌中・水中および密閉された容器中に含有するモノクロロ、ジクロロ、トリクロロ、テトラクロロエチレンを主とする有機塩素化合物を脱塩素化により浄化する。
【請求項２】
モノクロロ、ジクロロ、トリクロロ、テトラクロロエチレンのような有害有機塩素化合物でも比較的脱塩素化がおこりやすい化学物質については、ラネーニッケル又はパラジウム又は白金を水素化触媒として接触還元により完全にクロライドイオンとして溶液に出る。しかしダイオキシンやＰＣＢについては今のところこの方法では充分脱塩素化による無害化を行うことが出来ない。
【請求項３】
接触還元の為のＨ２は水素ガスボンベよりバブリングすることが好ましいが、土壌浄化の際にはコストの件及び装置に困難を伴う。
【請求項４】
接触還元の為のＨ２ガスはＭｇ，Ａｌ，Ｚｎ，Ｆｅ等が酸化力のない酸、例えば塩酸や希硫酸（０．５Ｎ）により水素を発生する為これらを用いる。しかし上記金属の内Ｚｎは環境中に出すことは毒性の点から好ましくないが、プラント等回収の可能性のある場合には希硫酸と反応させるのが好ましい。又、塩酸を用いることは一度離脱したクロライドイオンが再結合する可能性も否定できない為、希硫酸（０．５Ｎ）を用いるのが好ましい。さらにアルミニウムは両性元素である為、ＮａＯＨ水溶液とも反応してテトラヒドロキシアルミン酸ナトリウムとＨ２を生じる為、用いることも可能である。
【発明の詳細な説明】
【０００１】
【発明の属する分野】
環境保全の上で、有機性塩素化合物を完全かつ安全に分解することは過去２０年余りにわたって人間の重大な関心事であった。本発明は、有害塩素化合物でも比較的炭素−塩素結合が分解しやすい化合物について低コストでかつ比較的簡単な方法で分解出来る環境汚染対策技術に属する。
【０００２】
【従来の技術】
従来より有機塩素化合物の分解に関しては紫外線照射によりｃ−ｃｌ結合を切ったりｃ−ｃ二重結合を切断するオゾン照射法さらには鉄粉と過酸化水素によりヒドロオキシラジカル（ＨＯ・）を利用する方法が取られてきたが、強酸化法はトリクロロエチレン及びテトラクロロエチレンに用いる際化学反応式から少量ではあるがホスゲンを生じる為適当ではない。
例えば  Ｈ２Ｏ２＋Ｆｅ２＋→ＨＯ・＋Ｆｅ（ＯＨ）２＋
ヒドロオキシラジカル（ＨＯ・）はオゾンより強力に二重結合を攻撃する。
【０００３】
【発明が解決しようとする課題】
先に挙げた従来の技術はそれぞれ特徴がありかなり効果があると思われるが、コストの問題、危険物を再合成する可能性、酸・アルカリを用いる為設備に特殊剤を使う必要がある等から到底実施出来る技術ではないと思われる。
【０００４】
【課題を解決するための手段】
本発明は単純な触媒を用い水素ガスを前述のいずれかの方法で用意すれば実験例に示すごとく有害有機塩素化合物から完全にＣｌを離脱させることが出来る。しかし、この方法はモノクロロ、ジクロロ、トリクロロ、テトラクロロエチレンにのみ適用出来ることを実証したが、焼却灰由来のダイオキシンには適応しにくい。ダイオキシンについては６０％前後の分解しか得られていないが、本発明原理によりダイオキシン・ＰＣＢについても分解出来る。
【０００５】
ラネーニッケル・白金・パラジウムは共に接触還元触媒として有効であるが高価な物である。その中でラネーニッケルは比較的安価であり、現在活性化された型で商品化されている為、手に入れやすい触媒である。水汚染処理の場合は粉末状でも回収可能であり再利用可能であるが、土壌汚染処理に用いる場合は粉末状での回収は困難な為、ラネーニッケルを接着性の強い物質をコートした鉄板上に接着又は圧着させ、当鉄板と汚染水又は汚染土壌を水素触媒の存在下で接触還元させることにより分解すれば、回収・再利用が可能となる。
【０００６】
【実施例】
以下に実施例を挙げて本発明を具体的に説明するが、本発明はこれらの実施例に何ら限定される物ではない。
【０００７】（実施例１）
試料Ｎｏ．１  観測井より採取した有機塩素化合物に汚染された地下水。
試料Ｎｏ．２  観測井より採取した有機塩素化合物に汚染された地下水。
試料Ｎｏ．３  ＤＤＷにトリクロロエチレンを滴下した水溶液。
上記の３試料について、それぞれ三角フラスコ内で２５０ｍｌ水溶液に対し２ｇのラネーニッケルを触媒とし、常温で水素ボンベより１気圧の水素を３０分間バブリングした。更に、曝気の可能性を否定する為、予め密閉状態でも行った。分解は表１に示すようにＰＣＥ・ＴＣＥ・１，１−ＤＣＥ・ｃｉｓ−ＤＣＥ共にほぼ完全に分解した。
【０００８】
【表１】
2004322065.tif 000002
【０００９】（実施例２）
触媒の添加量による分解率の変化を確認する為、ＴＣＥを滴下した水溶液２５０ｍｌの３試料に対しそれぞれ０．２５ｇ、０．５ｇ、１ｇのラネーニッケルを加え、常温で水素ボンベより１気圧の水素を３０分間バブリングし、触媒濃度の依存性実験を行った。結果としては表２に示すとおりである。
【００１０】
【表２】
2004322065.tif 000003
【００１１】（実施例３）
１ｍ３のノッチタンク２基にそれぞれ砂質土、粘性土を加え水量を一定にして地盤内の分解を検証した。粘性土の分解効率より砂質土の分解率が良く、砂質土では９８．７％、粘性土では９４．５％であった。このことは同程度の攪拌においても塩素イオンと水素イオンの移動が水溶液中において大きなウェイトを占めるのではないかと思われる。より効率よく分解する為には水素付加期間中の充分な攪拌が必要であり、水溶液中の粘性が高いとＣ−ｃｌの分解は起こらないと思われる。
【００１２】（実施例４）
水素付加時間による分解率を確認する為、泥水水溶液中にトリクロロエチレンを滴下して時間経過による分解率を測定した。表３に示すように水素付加開始より１０分で５７％、２０分で８５％、３０分で９９％、４０分で１００％の分解率を示した。
【００１３】
【表３】
2004322065.tif 000004
【００１４】（実施例５）
分解後、再度塩素が炭素と再結合する事も考えられたので、揮発性有機塩素化合物に汚染された高濃度の地下水及び低濃度の地下水それぞれを経過時間毎に計測する確認試験を実施した。分解試験開始より１時間後、３時間後、１日後、７日後、１４日後に試料を採取して確認した結果、表４に示すように何れの試料も分解後における濃度変化は確認されず、本発明の方法により完全に分解出来た。
【００１５】
【表４】
2004322065.tif 000005
(57)【要約】【課題】濾材や微生物着床材のもつ性能を最大限に発揮でき、非処理物を流出しないような高機能の濾過用部材を提供する。【解決手段】予め所定形状に形成された固形状濾材をその周囲に間隔を隔てて輪ないし筒状に囲む型枠内に収め、該間隔内に成型素材を充填して硬化後、脱型し、濾過用部材とする。【選択図】図１
2004322069.tif 000002
【特許請求の範囲】
【請求項１】
予め所定形状に形成された固形状濾材をその周囲に間隔を隔てて輪ないし筒状に囲む型枠内に収め、該間隔内に成型素材を充填して硬化後、脱型することを主要工程とする濾過用部材の製造法。
【請求項２】
予め所定形状に形成された固形状濾材をその周囲に間隔を隔てて輪ないし筒状に囲む型枠内に収め、該間隔内に成型素材を充填して硬化後、脱型して得られる固形状濾材の周囲部と硬化成型素材の枠体とが密着一体化されたものであることを特徴とする濾過用部材。
【発明の詳細な説明】
【０００１】
【発明の属する技術分野】
この発明は、高機能の濾過用部材（但し、微生物着床や整水などを目的とする場合もある）とその製造法に関する。
【０００２】
【従来の技術】
一般に従来の濾過用部材は、固形状、布状、或いは粒状の各種濾材を輪状の枠体ないしカートリッジ内に収めた形態をなしていて、その中に水や空気などの流体を強制的に通過させて使用するようになっている。
【０００３】
【発明が解決しようとする課題】
このような従来の濾過用部材、とりわけ固形状ないし粒状の濾材を収めたカートリッジに水や空気などの流体を通す場合、該流体はカートリッジの内壁と濾材の外周面との僅かな隙間を選択的に通過しようとし、また濾材が粒体の場合は、粒体が僅かに移動して内部に細かい水路が形成されてくる。従って流体が濾材内部を通過するための強制力を失い、濾材のもつ本来の濾過能力が十分に発揮されない問題点がある。
【０００４】
本発明はかかる問題点を解決して、通過する流体が全て濾材内部を通過し十分にこれに接触しうるような高機能の濾過用或いは接触ないし着床用部材を提供することを課題とする。
【０００５】
【課題を解決するための手段】
予め所定形状に形成された固形状濾材１をその周囲に間隔２を隔てて輪ないし筒状に囲む型枠３内に収め、間隔２内に成型素材４を充填して硬化後、脱型するものとする。
【０００６】
固形状濾材１の最もシンプルかつ代表的な形状は円柱形であり、その高さに応じてその周りを囲む型枠３も輪状或いは筒状と表現されることになる。
【０００７】
また周囲輪郭が四角その他の別形状になることはあり得るが、周囲以外の両端面は、濾材、枠体ともにフラットな露出面をなしていることが濾過用部材としての性質上必要であるから、もし脱型後にそうなっていない場合は、削除等の二次工程でそのように加工すればよい。
【０００８】
固形状濾材１は、基本的に無数の微細な連続気泡（空隙）を有する多孔質材料からなるものであって、セラミックスや熱硬化性樹脂などの特殊製造技術により既に各種の通気ないし通水性材料が得られている。
【０００９】
固形状濾材１と型枠３との間隔２内に充填する成型素材４は、硬化後に実用上十分な強度、緻密度、耐久性を要するものであることは勿論であり、固形状濾材がセラミックス系の場合は石膏、セメントなど無機系のものが好ましく、樹脂系の場合は同様の樹脂系のものが好ましい。
【００１０】
【作用】
このようにして得られる本発明の濾過用部材は、固形状濾材１の外周面自体を型枠の一部として流動性の成型素材４が成形され、これが当該部材の外枠を構成することになるから、この成型素材４からなる外枠と固形状濾材１との間には隙間が全く存在せず、また水流などの作用が加わっても微動だにせず、新たに水路を生じる余地がない。従って、この外枠内の当該濾材に水や空気などの流体を強制通過させるときには、その力の全てが濾材内部を通過せざるを得なくなり、非濾過成分の流出が無くなると同時に濾過効率が著しく高まることになる。また、特に濾材の微細連続空隙が複雑な迷路状になっている場合は、流体の侵入口がたとえ部分的に偏っていても、出口においては均等化されることも判明した。
【００１１】
【発明の実施の形態】
薬石類、粘土類、繊維質有機物等を適宜混合して、円柱状に成型後、焼成し、二次加工研磨により、正確な直径２０ｃｍ、高さ２０ｃｍの円柱形濾材を製作する。これを内径２４ｃｍ、内壁高さ２０ｃｍの円筒形型枠の中央に立てて収め、周辺の２ｃｍの間隔部分に樹脂石膏を上縁まで充填し、硬化後、脱型する。得られた濾過用部材を同じ太さの導管に接続し、懸濁水を通水して、その濾過性能が著しく向上したことを確認した。
【００１２】
また、同じものに微生物を着床させ、油分を含む有機汚水をゆっくりと通水したところ、微生物の有機物分解作用の効率が一層高まることも判明した。
【００１３】
【発明の効果】
このように本発明によれば、濾材のもつ性能を最大限に発揮させることができて非濾過成分を流出させることもなく、また微生物着床部材としてもより有効となるなど、多大な効果がある。
【図面の簡単な説明】
【図１】本発明の一製造過程を示す見取図
【図２】本発明の濾過用部材一例の見取図
【符号の説明】
１……固形状濾材
２……間隔
３……型枠
４……成型素材
【図１】
2004322069.tif 000003
【図２】
2004322069.tif 000004
(57)【要約】【課題】重金属に汚染された土壌及び地下水を無害化させるに際し、安全、確実に不溶化する方法を提供すること。【解決手段】重金属に汚染された土壌を及び地下水を不要化させるに際し、従来の不溶化対策では長期に安定した状態を保つ事が難しいため、予め塩化アンモニウムと濃アンモニア水を混合した水溶液を加えて混練しｂｕｆｆｅｒ  ｓｏｌｕｔｉｏｎを施し、ｐＨ値１０に保持して、アミノポリカルボン酸を用いてキレート化合物を作成し、安定した状態で長期不溶化を図り無害化する。【特許請求の範囲】
【請求項１】
重金属に汚染された土壌及び地下水に、予め塩化アンモニウムと濃アンモニア水を混合した水溶液を加えて混練しｂｕｆｆｅｒ  ｓｏｌｕｔｉｏｎを施し、ｐＨ値１０に保持して、アミノポリカルボン酸を用いてキレート化合物を作成し無害化する。
【発明の詳細な説明】
【０００１】
【発明の属する分野】
本発明は、重金属に汚染された土壌及び地下水を無害化させる方法である。
【０００２】
【従来の技術】
従来の、重金属に汚染された土壌及び地下水を処理する工法としてはキレートによる不溶化やベントナイト等による遮水材料としての不溶化、セメント系固化材による不溶化等があげられる。キレート化合物により不溶化を図る場合、ｐＨを所定範囲に保ち混合・維持する必要があるが、ｐＨの維持が困難で安定したキレート化合物を長期に渡り形成出来ないため再溶出する。又、ベントナイト・ゼオライト等による遮水材料としての不溶化は、土砂災害等により汚染土壌が流出した場合汚染が拡散する危険性がある。セメント固化処理の場合、酸性雨等の影響により固化材が重金属と共に溶出する。
【０００３】
【発明が解決しようとする課題】
従来のキレート化又は不溶化法では、重金属に汚染された土壌及び地下水を不溶化した際、永久に不溶化されるという保証は無く、年月の経過とともに浸出する可能性がある。
このため、重金属に汚染された土壌を安定した状態で長期不溶化を図り無害化する必要がある。
【０００４】
【課題を解決するための手段】
エチレンジアミンテトラアセテートやニトリロ酢酸など一連のアミノポリカルボン酸はアルカリ金属以外の多くの重金属イオンと電高度の低い安定なキレートを形成する。金属ＭとＥＤＴＡが十分安定なキレート化合物を作る為には最適のｐＨを保たなければならない。しかしキレート化合物の合成と平行してＨ＋が生じてくる為次第に酸性となる。よって、安定したキレート化合物の合成を行うには水溶液のｐＨ変動を抑止する必要がある。水溶液をｐＨ１０に保つ為ＮＨ４ｃｌ６７．５ｇと濃アンモニア水５７０ｃｃとを水に溶かして１リットルとした緩衝溶液（ｂｕｆｆｅｒ  ｓｏｌｕｔｉｏｎ）を加えてキレート化合物が、外的影響（ｐＨ変動）にも左右されず長期に渡り安定した状態を維持する。
【０００５】
【化１】
2004322064.tif 000002
(57)【要約】      （修正有）【課題】硬い合成樹脂、例えば、スチレン系熱可塑性エラストマーとポリプロピレンとのブレンド樹脂を原料として合成樹脂管を押出成形した場合にも、簡易な方法で変形の少ない合成樹脂管を得ることが出来る合成樹脂管の押出成形方法を提供する。【解決手段】押出機Ｅから押出された合成樹脂管を、冷却水槽Ｃ内で周面に半円状の凹溝１１が刻設された１組のガイドロール１で所定の外径に規制しつつ冷却しながら引取る。【選択図】図１
2004322544.tif 000002
【特許請求の範囲】
【請求項１】
押出機から押出された合成樹脂管を、周面に半円状の凹溝が刻設された１組のガイドロールで所定の外径に規制しつつ冷却しながら引取ることを特徴とする合成樹脂管の押出成形方法。
【発明の詳細な説明】
【０００１】
【発明の属する技術分野】
本発明は、合成樹脂管の押出成形方法に関する。
【０００２】
【従来の技術】
合成樹脂管を押出成形する場合、通常、押出機から押出された合成樹脂管を、合成樹脂管が水面から浮上らないよう周面に半円状の凹溝が刻設されたガイドロールが付設された冷却水槽内で、合成樹脂管の上方からガイドロールで外径を規制しつつ冷却しながら引取り、切断機で定尺に切断している。
【０００３】
【発明が解決しようとする課題】
しかしながら、このような押出成形方法では、例えば、スチレン系エラストマーとポリプロピレンとのブレンド樹脂のような合成樹脂を原料として合成樹脂管を押出成形した場合には、軟質ポリ塩化ビニルのような軟い合成樹脂を原料とした場合に比して、上下方向に偏平な楕円形状に変形し易いという問題があった。
【０００４】
本発明は、上記従来の問題点を解消し、硬い合成樹脂を原料として合成樹脂管を押出成形した場合にも、簡易な方法で変形の少ない合成樹脂管を得ることが出来る合成樹脂管の押出成形方法を提供することを目的とする。
【０００５】
【課題を解決するための手段】
本発明の合成樹脂管の押出成形方法は、押出機から押出された合成樹脂管を、周面に半円状の凹溝が刻設された１組のガイドロールで所定の外径に規制しつつ冷却しながら引取ることを特徴とする。
【０００６】
本発明の合成樹脂管の押出成形方法に於いて、押出機から押出された合成樹脂管の外径を規制する１組のガイドロールの材質は、特に限定されないが、１組のガイドロールは横方向に連設され、合成樹脂管が両側から挟圧されるのが好ましい。
【０００７】
本発明の合成樹脂管の押出成形方法に於いて、硬い合成樹脂の材質は、特に限定されず、例えば、熱可塑性エラストマー（ＴＰＥ）、ポリオレフィン（単独重合体及び共重合体）及びスチレン系ＴＰＥとポリプロピレン（ＰＰ）とのブレンド樹脂のようなポリマーブレンド等が挙げられる。
【０００８】
【発明の実施の形態】
以下本発明の合成樹脂管の押出成形方法を図面に基づいて説明する。
図１は本発明の合成樹脂管の押出成形方法を示す説明図、図２は本発明の合成樹脂管の押出成形方法に用いられる１組のガイドロールの１例を示す斜視図、図３は従来の合成樹脂管の押出成形方法に用いられるガイドロールの１例を示す斜視図、図４は押出成形された合成樹脂管を示す断面図である。
【０００９】
〔実施例〕
原料としてスチレン系ＴＰＥとＰＰとのブレンド樹脂（ショア硬さ８３）を用いて、図１に示されているように、押出機Ｅから外径６．５ｍｍ、内径５．０ｍｍの合成樹脂管Ｔを押出した。
【００１０】
合成樹脂管Ｔを、図２に示されているように、周面に半径３．３ｍｍの半円状の凹溝１１が刻設された同形同大の１組のガイドロール１が横方向に連設された冷却水槽Ｃ内に導き、ガイドロール１で両側から挟圧して外径を規制しつつ冷却しながら引取装置Ｐで引取り、切断機で定尺に切断して合成樹脂管を得た。
【００１１】
〔比較例〕
図３に示されているように、周面に半径６．０ｍｍの半円状の凹溝２１が刻設されたガイドロール２が付設された冷却水槽内で、合成樹脂管の上方から押圧して外径を規制しつつ冷却したこと以外は実施例の通りにして合成樹脂管を得た。
【００１２】
押出成形された合成樹脂管は、自然状態では重力により、図４に示されているように、上下方向に偏平な楕円形状に変形する。そこで前記した実施例及び比較例により得られた合成樹脂管各１０本の外長径及び外短径を万能投影機を用いて測定し、夫々の平均値、差、比を算出した。その結果を表１に纏めて示す。
【００１３】
【表１】
2004322544.tif 000003
【００１４】
表１から明らかな如く、硬い合成樹脂を原料としているにも拘らず、実施例の合成樹脂管は、比較例の合成樹脂管に比して変形が少なく、断面が円形に近いものであることが判る。
【００１５】
【発明の効果】
本発明の合成樹脂管の押出成形方法は、叙上の通り構成されているので、硬い合成樹脂を原料として合成樹脂管を押出成形した場合にも、簡易な方法で変形の少ない合成樹脂管を容易に得ることが出来る。
【図面の簡単な説明】
【図１】本発明の合成樹脂管の押出成形方法を示す説明図。
【図２】本発明の合成樹脂管の押出成形方法に用いられる１組のガイドロールの１例を示す斜視図。
【図３】従来の合成樹脂管の押出成形方法に用いられるガイドロールの１例を示す斜視図。
【図４】押出成形された合成樹脂管を示す断面図。
【符号の説明】
１  ガイドロール
２  ガイドロール
１１  凹溝
２１  凹溝
Ｅ  押出機
Ｔ  合成樹脂管
Ｃ    冷却水槽
Ｐ  引取装置
【図１】
2004322544.tif 000004
【図２】
2004322544.tif 000005
【図３】
2004322544.tif 000006
【図４】
2004322544.tif 000007